(57)【要約】    【課題】撮影画面に表示する被写体距離の単位を変更可能とすることにより、単位系が異なる地域のユーザにも使い易い撮像装置及びその制御方法、並びに制御プログラム及び記憶媒体を提供する。    【解決手段】ビデオカメラ１００におけるシステム制御部１０４は、被写体距離を検出し、検出された被写体距離の表示単位として何が選択されているかを読み込み、被写体距離の検出値を選択された単位系に合わせて変更し、変更された検出値を被写体距離として液晶パネル１０９に表示し、さらに、選択された単位を表示した検出値に付随して液晶パネル１０９に表示する。【選択図】      図４
2007041286.tif 000002
【特許請求の範囲】
【請求項１】
フォーカスレンズ系を移動させて焦点の変更を行う撮像装置において、
前記焦点の変更に伴って変化する前記フォーカスレンズ系の位置に基づく被写体距離情報を検出する検出手段と、
前記検出された被写体距離情報の単位を選択する選択手段と、
撮影画面を表示すると共に、前記検出された被写体距離情報を前記選択された単位に応じて変更して表示する表示手段とを有することを特徴とする撮像装置。
【請求項２】
前記選択手段は、前記検出された被写体距離情報の単位を予め設定された表示言語によって選択することを特徴とする請求項１記載の撮像装置。
【請求項３】
前記表示手段は、前記表示された被写体距離情報に加えて前記選択された単位名を表示することを特徴とする請求項１又は２記載の撮像装置。
【請求項４】
前記表示手段は、前記撮像装置の前記焦点の変更中に前記撮影画面に表示することを特徴とする請求項１乃至３のいずれか１項に記載の撮像装置。
【請求項５】
変倍レンズ系を移動させて所定の倍率に変倍を行うことを特徴とする請求項１乃至４のいずれか１項に記載の撮像装置。
【請求項６】
前記フォーカスレンズ系及び前記変倍レンズ系は、レンズ系システムに内装されていることを特徴とする請求項１乃至５のいずれか１項に記載の撮像装置。
【請求項７】
前記レンズ系システムは交換可能であることを特徴とする請求項６記載の撮像装置。
【請求項８】
フォーカスレンズ系を移動させて焦点の変更を行う撮像装置の制御方法において、
前記焦点の変更に伴って変化する前記フォーカスレンズ系の位置に基づく被写体距離情報を検出する検出ステップと、
前記検出された被写体距離情報の単位を選択する選択ステップと、
撮影画面を表示すると共に、前記検出された被写体距離情報を前記選択された単位に応じて変更して表示する表示ステップとを有することを特徴とする制御方法。
【請求項９】
フォーカスレンズ系を移動させて焦点の変更を行う撮像装置の制御プログラムにおいて、
前記焦点の変更に伴って変化する前記フォーカスレンズ系の位置に基づく被写体距離情報を検出する検出モジュールと、
前記検出された被写体距離情報の単位を選択する選択モジュールと、
撮影画面を表示すると共に、前記検出された被写体距離情報を前記選択された単位に応じて変更して表示する表示モジュールとをコンピュータに実行させることを特徴とする制御プログラム。
【請求項１０】
請求項９記載のプログラムを格納するコンピュータ読み取り可能な記憶媒体。
【発明の詳細な説明】
【技術分野】
【０００１】
本発明は、撮像装置及びその制御方法、並びに制御プログラム及び記憶媒体に関し、特に、フォーカスレンズ系を移動させて焦点の変更を行う撮像装置及びその制御方法、並びに制御プログラム及び記憶媒体に関する。
【背景技術】
【０００２】
従来、撮像装置を用いて動画、静止画等を撮影する際、暗い画面で合焦させにくい場合に、被写体距離情報（以下、「被写体距離」という）を実際の撮影対象の距離と整合させて合焦を行う方法が用いられている。
【０００３】
この被写体距離は、レンズ自体に表示されていることが多いので、撮影中にレンズ上を覗き込み被写体距離を確認することは大変煩わしく、さらに、被写体距離が記載されていないレンズも存在することから、撮影画像を表示する画面上にプロ・セミプロ用のビデオカメラ等では被写体距離をメートル単位で重畳して表示する方法が用いられている（図３（Ａ））。
【発明の開示】
【発明が解決しようとする課題】
【０００４】
しかしながら、上記従来の技術では、被写体距離を主にメートル単位で表示を行うのみであり、例えばアメリカ等のヤード単位やフィート単位が常用される地域などでは使いにくいという問題があった。
【０００５】
本発明の目的は、撮影画面に表示する被写体距離の単位を変更可能とすることにより、単位系が異なる地域のユーザにも使い易い撮像装置及びその制御方法、並びに制御プログラム及び記憶媒体を提供することにある。
【課題を解決するための手段】
【０００６】
上記目的を達成するために、請求項１記載の撮像装置は、フォーカスレンズ系を移動させて焦点の変更を行う撮像装置において、前記焦点の変更に伴って変化する前記フォーカスレンズ系の位置に基づく被写体距離情報を検出する検出手段と、前記検出された被写体距離情報の単位を選択する選択手段と、撮影画面を表示すると共に、前記検出された被写体距離情報を前記選択された単位に応じて変更して表示する表示手段とを有することを特徴とする。
【０００７】
請求項８記載の撮像装置の制御方法は、フォーカスレンズ系を移動させて焦点の変更を行う撮像装置の制御方法において、前記焦点の変更に伴って変化する前記フォーカスレンズ系の位置に基づく被写体距離情報を検出する検出ステップと、前記検出された被写体距離情報の単位を選択する選択ステップと、撮影画面を表示すると共に、前記検出された被写体距離情報を前記選択された単位に応じて変更して表示する表示ステップとを有することを特徴とする。
【０００８】
請求項９記載の撮像装置の制御プログラムは、フォーカスレンズ系を移動させて焦点の変更を行う撮像装置の制御プログラムにおいて、前記焦点の変更に伴って変化する前記フォーカスレンズ系の位置に基づく被写体距離情報を検出する検出モジュールと、前記検出された被写体距離情報の単位を選択する選択モジュールと、撮影画面を表示すると共に、前記検出された被写体距離情報を前記選択された単位に応じて変更して表示する表示モジュールとをコンピュータに実行させることを特徴とする。
【０００９】
請求項１０記載のコンピュータ読み取り可能な記憶媒体は、請求項９記載のプログラムを格納することを特徴とする。
【発明の効果】
【００１０】
本発明によれば、フォーカスレンズ系を移動させて焦点の変更を行う撮像装置において、被写体距離情報を検出し、検出された被写体距離情報の単位を選択し、撮影画面を表示すると共に、検出された被写体距離情報を選択された単位に応じて変更して表示するので、撮影画面に表示する被写体距離の単位を変更可能とすることにより、単位系が異なる地域のユーザにも使い易く、もって、ユーザが主に用いている距離単位に合わせた被写体距離の表示から直感的な合焦作業が可能となる。
【発明を実施するための最良の形態】
【００１１】
以下、本発明の実施形態を図面を参照しながら詳述する。
【００１２】
図１は、本発明の実施形態に係る撮像装置の構成を概略的に示すブロック図である。
【００１３】
図１において、本発明の撮像装置としてのビデオカメラ１００は、フォーカスレンズ系と変倍レンズ系とを内装すると共に、画像を取り込むレンズ系システム１０１を備え、さらに、レンズ系システム１０１によって取り込まれた画像を電気的に取り込むＣＣＤ１０２と、レンズ系システム１０１のフォーカスレンズ系等を調整するレンズ系制御部１０３と、ＣＣＤ１０２からの画像情報をデジタル変換するＡ／Ｄ部１０５と、ビットマップ表示データ処理部１０６と、画像情報処理部１０７と、これらに接続された全体の動作を制御するシステム制御部１０４とを備える。
【００１４】
ビデオカメラ１００は、また、Ａ／Ｄ部１０５によってデジタル変換された画像情報を画像情報処理部１０７からの処理指示によって圧縮及びビットマップデータを重畳するＳＤＲＡＭ１１０と、ＳＤＲＡＭ１１０によって圧縮された画像情報を記録する記録部１１１と、ＳＤＲＡＭ１１０からの画像情報をアナログ変換するＤ／Ａ部１０８と、Ｄ／Ａ部１０８によってアナログ変換された画像情報にビットマップ表示データ処理部１０６から出力されるビットマップデータを重畳して表示すると共に、撮影画面を表示するＬＣＤ等の液晶パネル１０９とを備える。
【００１５】
さらに、ビデオカメラ１００は、ユーザインターフェースを可能にするメニュー設定画面を呼び出すキー等と、レンズ系システム１０１を交換することを可能とするアダプタ部と、接続レンズを検出するためのレンズ検出部等とを備える（不図示）。
【００１６】
レンズ系制御部１０３は、レンズ系システム１０１におけるレンズ系の倍率や被写体距離等を検出し、システム制御部１０４は、レンズ系制御部１０３によって検出された被写体距離を液晶パネル１０９に表示する。
【００１７】
図２は、図１における液晶パネル１０９に表示される被写体距離の単位を選択するメニュー画面を説明する図である。
【００１８】
図２において、メニュー画面は、被写体距離の検出単位として、「メートル（ｍ）」や「ヤード（ｙｄ）」を表示する。ユーザは、図２のメニュー画面を用いて、被写体距離の検出単位を「メートル（ｍ）」及び「ヤード（ｙｄ）」から選択することができる。
【００１９】
図３は、図２において選択された単位に応じた被写体距離を表示した撮影画面を説明する図であり、（Ａ）はメートル（ｍ）が選択された場合、（Ｂ）はヤード（ｙｄ）が選択された場合を示す。
【００２０】
図３（Ａ）において、検出された被写体距離がメートル（ｍ）単位で表示されている。一方、図３（Ｂ）においては、検出された被写体距離がヤード（ｙｄ）単位で表示されている。双方において、単位系の相違により検出値が異なっている。
【００２１】
図４は、図１におけるビデオカメラ１００によって実行される被写体距離表示処理の手順を示すフローチャートである。
【００２２】
本処理は、ビデオカメラ１００におけるシステム制御部１０４によって実行される。
【００２３】
図４において、まず、被写体距離を検出し（ステップＳ４０１）（検出手段）、検出された被写体距離の表示単位として何が選択されているか（図２）を読み込み（ステップＳ４０２）（選択手段）、被写体距離の検出値を選択された単位系に合わせて変更し（ステップＳ４０３）（表示手段）、変更された検出値を被写体距離として液晶パネル１０９に表示し（ステップＳ４０４）（表示手段）（図３）、さらに、選択された単位を表示した検出値に付随して液晶パネル１０９に表示し（ステップＳ４０５）（表示手段）（図３）、本処理を終了する。
【００２４】
図４の被写体距離表示処理によれば、被写体距離の検出値を選択された単位系に合わせて変更し（ステップＳ４０３）、変更された検出値を被写体距離として表示し（ステップＳ４０４）、さらに、選択された単位を表示した検出値に付随して表示する（ステップＳ４０５）ので、撮影画面に表示する被写体距離の単位を変更可能とすることにより、単位系が異なる地域のユーザにも使い易く、もって、ユーザが主に用いている距離単位に合わせた被写体距離の表示から直感的な合焦作業が可能となる。
【００２５】
図５は、図４の被写体距離表示処理の変形例の手順を示すフローチャートである。
【００２６】
本処理は、ビデオカメラ１００におけるシステム制御部１０４によって実行される。
【００２７】
図５において、まず、被写体距離を検出し（ステップＳ５０１）、表示を行う言語として何が選択されているかを検出し（ステップＳ５０２）、選択されている表示言語が日本語であるか否かを判別し（ステップＳ５０３）、日本語が選択されているときは、メートル（ｍ）単位での被写体距離を再計算して値を変更し（ステップＳ５０５）、被写体距離を撮影画面に後述する図６（Ａ）のように表示し（ステップＳ５０６）、さらに、選択された単位を表示した検出値に付随して表示し（ステップＳ５０７）（図６（Ｂ））、本処理を終了する。
【００２８】
ステップＳ５０３の判別の結果、表示言語として日本語が選択されていないときは、本実施の形態では英語が選択され、ヤード（ｙｄ）単位での被写体距離を再計算して値を変更し（ステップＳ５０４）、被写体距離を撮影画面に後述する図６（Ｂ）のように表示し（ステップＳ５０６）、ステップＳ５０７の処理を実行して、本処理を終了する。
【００２９】
図６は、図５のステップＳ５０６及びＳ５０７で表示される撮影画面を説明する図であり、（Ａ）は日本語表示の場合、（Ｂ）は英語表示の場合を示す。
【００３０】
図６（Ａ）において、表示言語として日本語が選択されているため、検出された被写体距離がｍ単位で表示されている。一方、図６（Ｂ）においては、表示言語として英語が選択されているため、表記が英語へ切り替わり、検出された被写体距離がｙｄ単位で表示されている。
【００３１】
図５の被写体距離表示処理によれば、表示言語として日本語が選択されているときは（ステップＳ５０３でＹＥＳ）、メートル（ｍ）単位での被写体距離を再計算して値を変更し（ステップＳ５０５）、表示言語として英語が選択されているときは（ステップＳ５０３でＮＯ）、ヤード（ｙｄ）単位での被写体距離を再計算して値を変更し（ステップＳ５０４）、被写体距離を撮影画面に表示し（ステップＳ５０６）（図６）、さらに、選択された単位を表示した検出値に付随して表示する（ステップＳ５０７）（図６）ので、撮影画面に表示する被写体距離の単位を表示言語に応じて変更可能とすることにより、単位系が異なる地域のユーザにも使い易く、もって、ユーザが主に用いている表示言語に応じた距離単位に合わせた被写体距離の表示から直感的な合焦作業が可能となる。
【００３２】
本実施の形態では、ビデオカメラに代表される動画撮影装置を用いているが、スチールカメラ等の静止画撮影装置でもよい。
【００３３】
また、本実施の形態では、表示単位としてヤード（ｙｄ）が選択されているが、フィート（ｆｔ）等でもよい。
【００３４】
また、本実施の形態では、表示言語として英語が選択されているが、その他の言語でもよい。
【００３５】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００３６】
この場合、記憶媒体から読み出されたプログラムコード自体が前述した実施の形態の機能を実現することになり、そのプログラムコード及び該プログラムコードを記憶した記憶媒体は本発明を構成することになる。
【００３７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００３８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００３９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００４０】
【図１】本発明の実施形態に係る撮像装置の構成を概略的に示すブロック図である。
【図２】図１における液晶パネルに表示される被写体距離の単位を選択するメニュー画面を説明する図である。
【図３】図２において選択された単位に応じた被写体距離を表示した撮影画面を説明する図であり、（Ａ）はメートル（ｍ）が選択された場合、（Ｂ）はヤード（ｙｄ）が選択された場合を示す。
【図４】図１におけるビデオカメラによって実行される被写体距離表示処理の手順を示すフローチャートである。
【図５】図４の被写体距離表示処理の変形例の手順を示すフローチャートである。
【図６】図５のステップＳ５０６及びＳ５０７で表示される撮影画面を説明する図であり、（Ａ）は日本語表示の場合、（Ｂ）は英語表示の場合を示す。
【符号の説明】
【００４１】
１００  ビデオカメラ
１０１  レンズ系システム
１０３  レンズ系制御部
１０４  システム制御部
１０９  液晶パネル
【図１】
2007041286.tif 000003
【図２】
2007041286.tif 000004
【図３】
2007041286.tif 000005
【図４】
2007041286.tif 000006
【図５】
2007041286.tif 000007
【図６】
2007041286.tif 000008